(57)【特許請求の範囲】
【請求項１】
同一素材に関する高レートビデオデータ及び低レートビデオデータを含むビデオデータが記録された記録媒体を読むリーダと、
高速再生モード時に、上記リーダに上記記録媒体から上記低レートビデオデータを読ませ、ｎフレーム分（ｎは２以上）の上記低レートビデオデータの位置の異なるそれぞれの一部を、ｎ分割した同一フレーム内に表示するよう出力画像データの各フレームを構成し、上記出力画像データの各フレーム毎に、全ての部分を上記リーダで読まれた上記低レート画像で更新する出力データ生成器と
を有するデータ処理装置。
【請求項２】
上記出力データ生成器は、上記高速再生モード時に、上記リーダで読まれた上記低レートビデオデータをメモリに記憶し、上記出力画像データの各フレーム毎に、上記ｎフレーム分の低レートビデオデータの各低レートビデオデータの異なる部分を上記メモリから読み出し、出力画像データの各フレーム毎に全ての部分が更新されるように合成して出力する請求項１記載のデータ処理装置。
【請求項３】
上記記録媒体には、上記ビデオデータに加え、上記ビデオデータに対応する高レートのオーディオデータと低レートオーディオデータが記録されており、
上記出力データ生成器は、上記高速再生モード時に、上記リーダに上記記録媒体から上記低レートオーディオデータを読ませ、上記低レートオーディオデータのサンプリング周波数を変換する請求項１記載のデータ処理装置。
【請求項４】
上記記録媒体にデータを記録するレコーダをさらに備える請求項１記載のデータ処理装置。
【請求項５】
同一素材に関する高レートビデオデータ及び低レートビデオデータを含むビデオデータが記録された記録媒体を読み出す読み出し手段と、
高速再生モード時に、上記読み出し手段に上記記録媒体から上記低レートビデオデータを読み出させ、ｎフレーム分（ｎは２以上）の上記低レートビデオデータの位置の異なるそれぞれの一部を、ｎ分割した同一フレーム内に表示するよう出力画像データの各フレームを構成し、上記出力画像データの各フレーム毎に、全ての部分を上記読み出し手段で読み出された上記低レート画像で更新する出力データ生成手段と
を有するデータ再生装置。
【請求項６】
上記出力データ生成手段は、上記高速再生モード時に、上記読み出し手段で読み出された上記低レートビデオデータを記憶手段に記憶し、上記出力画像データの各フレーム毎に、上記ｎフレーム分の低レートビデオデータの各低レートビデオデータの異なる部分を上記記憶手段から読み出し、出力画像データの各フレーム毎に全ての部分が更新されるように合成して出力する請求項５記載のデータ再生装置。
【請求項７】
上記記録媒体には、上記ビデオデータに加え、上記ビデオデータに対応する高レートのオーディオデータと低レートオーディオデータが記録されており、
上記出力データ生成手段は、上記高速再生モード時に、上記読み出し手段に上記記録媒体から上記低レートオーディオデータを読み出させ、上記低レートオーディオデータのサンプリング周波数を変換する請求項５記載のデータ再生装置。
【請求項８】
上記記録媒体にデータを記録する記録手段をさらに備える請求項５記載のデータ再生装置。
【請求項９】
同一素材に関する高レートビデオデータ及び低レートビデオデータを含むビデオデータが記録された記録媒体を読み出す読み出し工程と、
高速再生モード時に、上記読み出し工程により上記記録媒体から上記低レートビデオデータを読み出させ、ｎフレーム分（ｎは２以上）の上記低レートビデオデータの位置の異なるそれぞれの一部を、ｎ分割した同一フレーム内に表示するよう出力画像データの各フレームを構成し、上記出力画像データの各フレーム毎に、全ての部分を上記読み出し工程で読み出された上記低レート画像で更新する出力データ生成工程と
を有するデータ処理方法。
【発明の詳細な説明】
【０００１】
【発明の属する技術分野】
本発明は、同一素材に関する高レート及び低レートのデータを記録しているノンリニアアドレス屈す可能な状記録媒体から各データを再生するデータ処理装置及び方法に関する。
【０００２】
【従来の技術】
従来、光ディスクや、磁気ディスク、半導体メモリなどのノンリニアアクセス可能な媒体に記録された画像の高速再生を行うような場合には、コマ落としの画像を再生するのが一般的である。したがって、例えば５０倍速で再生する場合、５０フレーム毎にしか画像を更新しないので、その間の４９フレームの情報は欠落してしまう。例えばＭＰＥＧ２（Moving Picture Experts Group-2）のように時間軸方向の相関を用いた圧縮方式で画像が記録されている場合には復号（デコード）に前後のＧＯＰ（Group of Picture）の情報を必要とすることがある。このため、高速再生時に復号できるフレームに復号器（Decoder）の処理速度による制限が加わり、瞬間的に見ればコマ落としの間隔が一定ではなくなり同じコマ落としでもギクシャクしたものになってしまう。
【０００３】
前記ノンリニア記録媒体で高速再生を行うような場合にも、ギクシャクしない、例えば従来のアナログＶＴＲを高速再生したときに得られるような再生映像が望まれるが、これまでは、前述したような時間軸方向の相関を用いた圧縮方式で画像が記録されている場合、それは困難であった。
【０００４】
また、アナログによるビデオ情報の高速再生にあっては、そのビデオ情報に関連するオーディオ情報も高速再生され、音声によるシーンの検索も可能であったが、前記ノンリニア記録媒体に記録されたオーディオ情報の高速再生では、アナログＶＴＲのように音声信号が長手方向トラックに高周波バイアス記録されているような場合と異なり、再生される音声データは不連続なものであったり、再生スピードとは無関係に一定の音程となってしまう。
【０００５】
本発明は、上述したような実情に鑑みてなされたものであり、光ディスクや、磁気ディスク、半導体メモリなどのノンリニア記録媒体からビデオデータを高速再生するような場合に、滑らかな再生映像を得ることができるデータ処理装置及び方法を提供することを目的とする。
【０００６】
【課題を解決するための手段】
本発明に係るデータ処理装置は、上述した課題を解決するために、同一素材に関する高レートビデオデータ及び低レートビデオデータを含むビデオデータが記録された記録媒体を読むリーダと、高速再生モード時に、上記リーダに上記記録媒体から上記低レートビデオデータを読ませ、ｎフレーム分（ｎは２以上）の上記低レートビデオデータの位置の異なるそれぞれの一部を、ｎ分割した同一フレーム内に表示するよう出力画像データの各フレームを構成し、上記出力画像データの各フレーム毎に、全ての部分を上記リーダで読まれた上記低レート画像で更新する出力データ生成器（出力データ生成手段）とを有することを特徴とするものである。
また、本発明に係るデータ処理方法は、同一素材に関する高レートビデオデータ及び低レートビデオデータを含むビデオデータが記録された記録媒体を読み出す読み出し工程と、高速再生モード時に、上記読み出し工程により上記記録媒体から上記低レートビデオデータを読み出させ、ｎフレーム分（ｎは２以上）の上記低レートビデオデータの位置の異なるそれぞれの一部を、ｎ分割した同一フレーム内に表示するよう出力画像データの各フレームを構成し、上記出力画像データの各フレーム毎に、全ての部分を上記読み出し工程で読み出された上記低レート画像で更新する出力データ生成工程とを有することを特徴とするものである。
【０００７】
また、本発明に係るデータ処理装置は、同一素材に関する高レート及び低レートのデータを記録しているディスク状記録媒体から各データを再生するデータ再生装置において、高速再生モードのときには、再生レート内で再生可能な全ての低レートのデータを用いて画面表示の一部ずつを更新する。
【０００８】
ここで、前記同一素材がビデオ情報であるとき、本発明に係るデータ再生装置は、同一素材に関する低レートのビデオデータをディスク状記録媒体から読み出し、この低レートのビデオデータを用いて画面表示の一部ずつを更新する。
【０００９】
所定時間内におけるディスク状記録媒体からの低レートのデータの読み出し量は、高レートのデータの読み出し量に比べて多いので、高速再生モードのときには低レートのデータを用いる。
【００１０】
さらに、本発明に係るデータ処理装置は、前記課題を解決するために、同一素材に関する高レート及び低レートのデータをディスク状記録媒体に記録するデータ記録手段と、高速再生モードのときには、前記データ記録手段により前記ディスク状記録媒体に記録された低レートのデータを読み出して再生レート内で再生可能な全ての低レートのデータを用いて画面表示の一部ずつを更新するデータ再生手段とを備える。
【００１１】
以下、本発明に係るデータ処理装置及び方法のいくつかの実施の形態について、図面を参照しながら説明する。
【００１２】
先ず、本発明に係るデータ処理装置の第１の実施の形態は、同一素材に対する高レート及び低レートのデータが例えば別領域に記録されている光ディスクから各データを再生するデータ再生装置であり、高速再生時には、再生レート内で再生可能な低レートのデータを用いて画面表示の一部ずつを更新するデータ再生装置である。同一素材に対する高レートのデータとは、例えばビデオデータであれば高解像度のデータのことである。また、低レートのデータとは、低解像度のビデオデータのことである。なお、高レート、低レートのビデオデータ共に動画像データである。
【００１３】
このデータ再生装置１は、図１に示すように表示装置２や、スピーカ３を接続している。特に、このデータ再生装置１は、高速再生時に表示装置２の１画面上に数フレームの画像情報を分割して表示したり、その際の再生スピードに応じて音程を変えた音、あるいは再生スピードに音程を追従させた音として定義できるような高音域ノイズ音又は高音域にシフトされた音をスピーカから出力する。
【００１４】
このような数フレームの画像情報の分割表示や、その際の再生スピードに応じた高音域ノイズ音は、従来、アナログＶＴＲ等を用いたアナログ的な再生では可能であったが、ディジタルＶＴＲを用いたディジタル的な再生では困難であった。
【００１５】
データ再生装置１が再生する光ディスクＯＤには、撮像装置４によって撮像された後、データ記録装置５によって生成された高解像度ビデオデータ（高レート）及び低解像度ビデオデータ（低レート）が記録されている。また、光ディスクＯＤには、撮像装置４に配設されたマイクロフォンによって、前記映像に関連させて収音された後、データ記録装置５によって生成された高サンプリングレートのオーディオデータ（高レート）及び低サンプリングレートのオーディオデータ（低レート）も記録されている。なお、前記映像に関連した音声は、撮像装置と一体ではなく、単独でセットされた、あるいはレポーター、インタビューアーによって保持されたマイクロフォンによって収音された後、データ記録装置５によって記録されてもよい。また、光ディスク以外にも、磁気ディスク、半導体メモリ等の種々のノンリニアアクセス可能な記録媒体を使用可能であることは勿論である。
【００１６】
先ず、前記データ再生装置１の説明に先だって、光ディスクＯＤに映像、音声に関する高レートデータ、低レートデータを記録するために用いられる撮像装置４、及びデータ記録装置５について説明する。
【００１７】
撮像装置４は、光学レンズを透過した被写体画像を取り込んで撮像信号を生成する例えばＣＣＤイメージセンサと、撮像信号にカメラ信号処理を施すカメラ信号処理回路とを備えてなる。もちろん、撮像装置はＣＣＤイメージセンサを用いた撮像装置に限定されるものではなく、他のイメージセンサを用いた撮像装置でもよい。
【００１８】
データ記録装置５は、図２に示すように、入力端子１１を介して撮像装置４から供給された複合画像信号をＹ／Ｃ分離回路（ＹＣ SEP）１２にて輝度信号Ｙとクロマ信号Ｃに分離し、さらにコンポーネントデコーダ（Comp ＤＥＣ）１３で４：２：２のベースバンドコンポーネントデータＹ、Ｃｂ、Ｃｒに変換する。
【００１９】
また、データ記録装置５は、入力端子１４を介して撮像装置４から供給された非圧縮のシリアルデジタルインターフェース（Serial Digital Interface；ＳＤＩ、ＳＭＰＴＥ259Ｍ）に基づいたＤ１フォーマットのビデオデータをシリアル／パラレル（Ｓ／Ｐ）変換回路１５にてパラレルデータに変換してから、Ｄ１デコーダ（ＤＥＣ）１６にて誤り訂正等の処理を施してデコードし、４：２：２のベースバンドコンポーネントビデオデータＹ、Ｃｂ、Ｃｒに変換する。
【００２０】
データ記録装置５のタイムベースコレクタ（Time base corrector）１７は、バッファ（BUFF）を用いて、前記コンポーネントデコーダ１３からのベースバンドコンポーネントビデオデータＹ、Ｃｂ、Ｃｒ、又はＤ１デコーダ１６からのベースバンドコンポーネントビデオデータＹ、Ｃｂ、Ｃｒの時間軸を調整する。タイムベースコレクタ１７によって時間軸が調整された前記いずれかのベースバンドコンポーネントビデオデータは、高レートのビデオデータを生成するＭＰＥＧ２（Moving Picture Experts Group-2）エンコーダ（ＥＮＣ）１８、及び低レートのビデオデータを生成するスタンプビデオエンコーダ（Stamp Video Encoder：ＳＴＶ−ＥＮＣ）１９に供給される。もちろん、高レートビデオデータエンコーダの具体例としては、他のＭＰＥＧエンコーダでもよいし、さらに他の高解像度ビデオデータ生成装置でもよい。また、スタンプビデオエンコーダ１９もどの様なエンコード方式でもよい。
【００２１】
ＭＰＥＧ２エンコーダ１８は、前記ベースバンドコンポーネントビデオデータに、動き補償予測、ＤＣＴ、量子化、可変長符号化といった、時間軸方向の相関を用いた圧縮処理を施して、放送に使用可能な高解像度のＭＰＥＧ２ビデオデータを生成する。例えば、ＭＰＥＧ２ＭＰ＠ＭＬ（Main Profile/Main Level）のプロファイルのビデオデータである。このＭＰＥＧ２ビデオデータは最大で１５Ｍｂｐｓという高レートにより次段のメディアコントローラ（MEDIA CONT）に伝送される。もちろん、ＭＰＥＧ２ＭＰ＠ＨＬ（Main Profile/High Level）のプロファイルのビデオデータを生成してもよい。
【００２２】
スタンプビデオエンコーダ１９は、前記ベースバンドコンポーネントビデオデータ、つまりＭＰＥＧ２エンコーダ１８に入力された同じソース（同一素材）からのコンポーネントビデオデータに、時間軸方向の相関を用いることをせずに、画素数変換処理や、フレーム内完結の圧縮処理を施して、データ量を落とし、ＭＰＥＧ２ビデオデータよりも低レートのスタンプビデオデータを生成する。このスタンプビデオデータは、前記ＭＰＥＧ２ビデオデータよりも低解像度のビデオデータであり、約７００ｋｂｐｓという低レートで次段のメディアコントローラ（MEDIA CONT）２０に伝送される。このスタンプビデオデータは、低レートであり低解像度ではあるが、同一時間内に転送されるデータの量は、前記高レートのＭＰＥＧ２ビデオデータよりも多くなる。なお、スタンプビデオデータは、フレーム間圧縮を行うものでもよい。
【００２３】
また、このデータ記録装置５は、入力端子２１を介してマイクロフォン等から供給された音声をアナログディジタル変換器（Ａ／Ｄ）２２にてディジタルに変換してから、オーディオプロセスコントローラ（AUDIO PROC）２３により、サンプリング周波数Ｆsを例えば４８ｋＨｚとした高サンプリングレートのサンプリングをして高音質のディジタルオーディオデータ（高レートのオーディオデータ）とし、メディアコントローラ２０に供給する。なお、ディジタルオーディオデータがＤ１デコーダ１６からの前記ベースバンドコンポーネントビデオデータに関連するものであるとき、オーディオプロセスコントローラ２３は、ＡＥＳ（Advanced Encryption Standard）にしたがってチャンネルを入れ替えたりする必要があるので、ＡＥＳデコーダ２４を、オーディオプロセスコントローラ２３とＤ１デコーダ１６との間に設ける。
【００２４】
さらに、このデータ記録装置５は、前記高音質のディジタルオーディオデータ（サンプリング周波数Ｆs＝４８ｋＨｚ）を変換比固定のサンプリング周波数変換器（Fix Sampling rate converter:ＦＩＸ ＳＲＣ）２５により、サンプリング周波数Ｆs＝８ｋＨｚの低音質のディジタルオーディオデータに変換してから、スタンプオーディオエンコーダ（Stamp Audio ＥＮＣ）２６で例えば対数圧縮のような圧縮比固定でエンコードして低レートのオーディオデータであるスタンプオーディオデータとしてメディアコントローラ２０に供給する。
【００２５】
メディアコントローラ２０は、ＭＰＥＧ２ビデオデータ及び高音質のディジタルオーディオデータと、スタンプビデオデータ及びスタンプオーディオデータとに、誤り検出符号を付加したり、書き込み処理を施して、光ディスクＯＤへの記録に適したデータに変換し、記録ドライバ２７に供給する。
【００２６】
記録ドライバ２７は、半導体レーザから出射されたレーザ光を各種レンズやビームスプリッタ等の光学部品や、対物レンズを介して光ディスクに照射してデータを記録する光学ヘッドや、光学ヘッドを光ディスクの半径方向に移動するスレッド機構や、対物レンズのフォーカス、トラッキングを制御するサーボ系、前記レーザ光を記録用の各データに応じて変調する記録データ変調系、記録レーザ光をモニタする系、また光ディスクを回転駆動する駆動系などからなる。そして、記録ドライバ２７は、図３に示すように、ＭＰＥＧ２ビデオデータ及び高音質のディジタルオーディオデータを、光ディスクＯＤの最外周の高品質記録エリアＡＲＨに記録し、スタンプビデオデータ及びスタンプオーディオデータを、内周側の低品質記録エリアＡＲＬに記録する。光ディスクＯＤの最内周側の管理エリアＡＲＭには、ディスク管理情報やシステム情報が格納されている。なお、記録系の構成や記録媒体の記録領域等は一例であって、これに限定されるものではない。
【００２７】
システムコントローラ（System CONT）２８は、ユーザーインターフェース（User Ｉ／Ｆ）２９からのユーザコマンドに応じてメディアコントローラ２０を制御し、ＭＰＥＧ２ビデオデータ及び高音質のディジタルオーディオデータ、スタンプビデオデータ及びスタンプオーディオデータ、ディスク管理情報やシステム情報の光ディスクへの記録動作を制御する。
【００２８】
次に、データ記録装置５の要部である、ビデオデータエンコーダ及びオーディオデータエンコーダ周辺、すなわちＭＰＥＧ２エンコーダ１８、スタンプビデオエンコーダ１９、オーディオプロセスコントローラ２３、変換比固定のサンプリング周波数変換器２５、スタンプオーディオエンコーダ２６の詳細について説明する。
【００２９】
ＭＰＥＧ２エンコーダ１８は、時間軸方向の相関を用い、動き補償予測による時間方向の冗長度の除去を行って、４：２：２のベースバンドコンポーネントビデオデータＹ、Ｃｂ、Ｃｒを圧縮している。フレーム内だけで符号化されるフレーム内符号化画像Ｉピクチャ、過去の画面から現在を予測することによって符号化されるフレーム間順方向予測符号化画像Ｐピクチャ、過去，未来の両方向の画像から現在を予測することによって符号化される双方向予測符号化画像Ｂピクチャを用いてビデオ情報を圧縮符号化している。Ｉピクチャを１つ含むピクチャーのまとまりをＧＯＰ（Group of Pictures）とする。図４には、ＧＯＰ内のピクチャ枚数Ｎ＝１５、Ｉ又はＰが現れる周期Ｍ＝３のＧＯＰ構造を示す。時間軸に沿って、ＩＢＢＰＢＢＰＢＢＰＢＢＰＢＢが割り当てられる。このＧＯＰ構造を、以後、Long ＧＯＰと呼ぶ。
【００３０】
スタンプビデオエンコーダ１９は、４：２：２のベースバンドコンポーネントビデオデータＹ、Ｃｂ、Ｃｒに、図５に示すような構成を用いて、ＭＰＥＧ２ビデオデータよりも低解像度のデータを生成する。そして、低レートのビデオデータであるスタンプビデオデータを生成する。スタンプビデオエンコーダ１９は、４：２：２→４：２：０変換器３１と、画素間引き処理部３２と、帯域制限ＬＰＦ３３と、フレーム内圧縮部３４からなる。４：２：２→４：２：０変換器３１は、前記ベースバンドコンポーネントビデオデータの輝度情報Ｙと色差情報Ｃｂ、Ｃｒの標本化周波数比（４：２：２）を、４：２：０に変換する。４：２：２は、色差情報Ｃｂ、Ｃｒを横方向に半分に削減したものであるが、さらに４：２：２→４：２：０変換器３１では、色差情報Ｃｂ、Ｃｒを横方向若しくは縦方向にも半分に削減する。画素間引き処理部３２は、Ｈ方向で例えば１／６、Ｖ方向で例えば１／６に画素を間引きする。帯域制限ローパスフィルタ（ＬＰＦ）３３は、間引きされた４：２：０コンポーネントビデオデータの高域成分を除去してからフレーム内圧縮部３４に供給する。フレーム内圧縮部３４は、フレーム内で完結できる圧縮アルゴリズムを用い、帯域制限された４：２：０コンポーネントビデオデータをさらに圧縮する。例えば、フルフレーム、１／１０ＪＰＥＧ圧縮のようなアルゴリズムを用いる。最終的に、スタンプビデオエンコーダ１９は、例えば、Ｈ（１２０）×Ｖ（８０／９６）、４：２：０、ｂｉｔフレームレート＝Full，１／１０ＪＰＥＧ圧縮データのようなスタンプビデオデータ（約７００ｋｂｐｓ）を生成する。また、例えば、ＤＶ規格で採用されているような圧縮アルゴリズムを用いても良い。ＤＶ規格は、ディジタルビデオデータのデータ量を約１／５にまで圧縮するためのものであり、家庭用ディジタルビデオ装置や業務用のディジタルビデオ装置の一部に用いられている。このＤＶ規格は、離散コサイン変換（ＤＣＴ）と可変長符号化（ＶＬＣ）を組み合わせることにより、ビデオデータの効率的な圧縮を実現している。
【００３１】
オーディオプロセスコントローラ２３は、前述したように、前記Ａ／Ｄ変換器２２からのオーディオデータにサンプリング周波数Ｆs＝４８ｋＨｚでサンプリングして高音質のディジタルオーディオデータ（例えば１６ビット）を生成し、メディアコントローラ２０に供給すると共に、変換比固定のサンプリング周波数変換器２５に供給する。
【００３２】
変換比固定のサンプリング周波数変換器２５とスタンプオーディオエンコーダ２６とによるスタンプオーディオデータの生成について図６を用いて説明する。変換比固定のサンプリング周波数変換器２５は、前記オーディオプロセスコントローラ２３からのディジタルオーディオデータのサンプリングレートＦｓ＝４８ｋＨｚを変換比１／６によってＦｓ＝８ｋＨｚとする。このＦｓ変換比によって、サーチ音声による検索のような高速再生時何倍速まで再生音声の音程を変化させられるかが決まる。この例で、変換比を１／６としたのは、高速再生時であっても、人間が音声をきちんと認識できるのはせいぜい数倍速までなので現実的な設定としては数倍程度が適当なためである。スタンプオーディオエンコーダ２６は、Ｆｓ＝８ｋＨｚ、１６bitのディジタルオーディオデータを電話回線による伝送で用いられているのと同じ、例えば対数圧縮により、Ｆｓ＝８ｋＨｚ、８bitに圧縮する。これは、１３bitのダイナミックレンジ（Dynamic Range）である７３ｄＢ相当となる。音声認識レベルは、９７％以上であり、単音明瞭度９０％、文章理解度１００％という必要充分な品質が得られる。このようにして得られたＦｓ＝８ｋＨｚ、８bitのスタンプオーディオデータもメディアコントローラ２０に供給される。
【００３３】
以上、データ再生装置１の説明に先だって、光ディスクＯＤに映像、音声に関する高レートデータ、低レートデータを記録するデータ記録装置５について説明した。
【００３４】
次に、第１の実施の形態となる、データ再生装置１について詳細に説明する。このデータ再生装置１は、前記データ記録装置５によって同一素材に関する高レート及び低レートのデータが記録された光ディスクから各データを再生するものである。
【００３５】
始めに、データの流れを追って全体構成を説明する。
図７において、メディアコントローラ４２からの指示に従い、リーダ（読み出し手段、再生手段）である再生ドライバ４１は、前記光ディスクＯＤの管理エリアＡＲＭを参照し、ＭＰＥＧ２ビデオデータ及び高音質のディジタルオーディオデータ、又はスタンプビデオデータ及びスタンプオーディオデータを、高品質記録エリアＡＲＨ又は低品質記録エリアＡＲＬから読み、メディアコントローラ４２に供給する。
【００３６】
メディアコントローラ４２を介して、前記ＭＰＥＧ２ビデオデータはＭＰＥＧ２デコーダ４３に、また前記高音質のディジタルオーディオデータは再生切換コントローラ（JOG/VAR CONT）４５に供給される。または、メディアコントローラ４２を介して、前記スタンプビデオデータはスタンプビデオデコーダ（STV DEC）４４に、前記スタンプオーディオデータはスタンプオーディオデコーダ（Stamp Audio DEC）４６に供給される。
【００３７】
ＭＰＥＧ２ビデオデータはＭＰＥＧ２デコーダ４３により伸張されてから再生切換コントローラ４５に供給される。スタンプビデオデータはスタンプビデオデコーダ４４によりデコードされてから再生切換コントローラ４５に供給される。スタンプオーディオデータはスタンプオーディオデコーダ４６によりデコードされてから変換比可変のサンプリング周波数変換器（Variable Sampling rate converter:VAR SRC）５４にてサンプリングレートが変換され、再生切換コントローラ４５に供給される。
【００３８】
ユーザが高速再生を選択し、再生切換コントローラ４５が高速での再生モードに切り換えられると、スタンプビデオデコーダ４４によりデコードされたスタンプビデオデータはビデオプロセスコントローラ（VIDEO PROC）４９に、また可変サンプリングレートコンバータ５４にてサンプリングレートが変換されたスタンプオーディオデータはオーディオプロセスコントローラ（AUDIO PROC）４８に供給される。
【００３９】
ユーザが通常再生を選択し、再生切換コントローラ４５が通常速度での再生モードに切り換えられると、ＭＰＥＧ２デコーダ４３によってデコードされたＭＰＥＧ２ビデオデータはビデオプロセスコントローラ４９に、またメディアコントローラ４２から直接供給された高音質オーディオデータはオーディオプロセスコントローラ４８に供給される。
【００４０】
ビデオプロセスコントローラ４９によって映像処理が施されたビデオデータは、Ｄ１エンコーダ５０又はコンポジットエンコーダ５１に供給され、それぞれのフォーマットにしたがった出力ビデオデータにエンコードされる。また、オーディオプロセスコントローラ４８によってオーディオ処理が施されたオーディオデータは、Ｄ／Ａ変換回路５２によってアナログオーディオ信号とされる。
【００４１】
次に、各部の働きについて説明する。
メディアコントローラ４２は、ユーザが高速再生を選択したとき、システムコントローラ４７からの制御信号に基づいて再生ドライバ４１を制御し、光ディスクＯＤからスタンプビデオデータ及びスタンプオーディオデータを読み出させる。そして、スタンプビデオデータ及びスタンプオーディオデータに誤り検出符号を用いた誤り訂正を施し、スタンプビデオデータをスタンプビデオデコーダ４４に、スタンプオーディオデータをスタンプオーディオデコーダ４６に供給する。また、ユーザが通常再生を選択したとき、システムコントローラ４７からの制御信号に基づいて再生ドライバ４１を制御し、光ディスクＯＤからＭＰＥＧ２ビデオデータデータ及び高音質オーディオデータを読み出させる。そして、ＭＰＥＧ２ビデオデータデータ及び高音質オーディオデータに誤り検出符号を用いた誤り訂正を施し、ＭＰＥＧ２ビデオデータをＭＰＥＧ２デコーダ４３に、高品質オーディオデータを直接再生切換コントローラ４５に供給する。
【００４２】
ＭＰＥＧ２デコーダ４３は、ＭＰＥＧ２フォーマットでエンコードされたＭＰＥＧ２ビデオデータを伸張し、４：２：２で高解像度のビデオデコード出力を再生切換コントローラ４５に供給する。
スタンプビデオデコーダ４４は、スタンプビデオデータをデコードし、前記高解像度のビデオデコード出力よりは低解像度のビデオデコード出力を再生切換コントローラ４５に供給する。このスタンプビデオデコーダ４４には、低レートのビデオデータの具体例であるスタンプビデオデータを一時的に記憶する、ＲＡＭのようなメモリ（Memory）５３が接続されている。
【００４３】
スタンプオーディオデコーダ４６は、スタンプオーディオデータを例えば対数伸張し、変換比可変のサンプリング周波数変換器５４に供給する。変換比可変のサンプリング周波数変換器５４は、スタンプオーディオデータのＦｓ＝８ｋＨｚをユーザが所望した高速再生に従ったＦｓ、例えば４８ｋＨｚに変換し、それを再生切換コントローラ４５に供給する。
【００４４】
再生切換コントローラ４５は、ユーザが高速再生を選択し、システムコントローラ４７により、再生が高速再生モードにされると、スタンプビデオデコーダ４４によりメモリ５３を用いてデコードされた高速再生用のスタンプビデオ出力をビデオプロセスコントローラ４９に供給する。また、同様に再生が高速再生モードにされると、変換比可変のサンプリング周波数変換器５４によりサンプリング周波数が変換されたスタンプオーディオデータをオーディオプロセスコントローラ４８に供給する。
【００４５】
また、再生切換コントローラ４５は、ユーザが通常再生を選択し、システムコントローラ４７により、再生が通常再生モードにされると、ＭＰＥＧ２デコーダ４３によりデコードされたＭＰＥＧ２ビデオデータ出力をビデオプロセスコントローラ４９に供給する。また、同様に再生が通常再生モードにされると、メディアコントローラ４２から直接供給された高音質オーディオデータをオーディオプロセスコントローラ４８に供給する。
【００４６】
ビデオプロセスコントローラ４９は、再生切換コントローラ４５からのＭＰＥＧ２ビデオデータや、スタンプビデオデータに、ノイズ低減や、画質補正等の映像処理を施してからＤ１エンコーダ（ＥＮＣ）５０又はコンポジットエンコーダ（Comp ＥＮＣ）５１に供給する。
【００４７】
Ｄ１エンコーダ５０は、ビデオプロセスコントローラ４９からの出力ビデオデータにＤ１フォーマットにしたがってエンコードし、パラレル／シリアル（Ｐ／Ｓ）変換回路５６に供給する。パラレル／シリアル変換回路５６は、ＳＤＩフォーマットにしたがった出力シリアルディジタルビデオデータを出力する。
【００４８】
また、コンポジットエンコーダ５１は、ビデオプロセスコントローラ４９からの出力ビデオデータをコンポジットデータにエンコードし、出力コンポジットビデオデータＲ，Ｇ，Ｂを出力端子５７から出力する。
【００４９】
オーディオプロセスコントローラ４８は、再生切換コントローラ４５からの高音質のオーディオデータや、スタンプオーディオデータに、時間軸方向に連続させる処理、レベル調整、ノイズ低減等のオーディオ処理を施してからＤ／Ａ変換回路５３に供給する。Ｄ／Ａ変換回路５２は、前記オーディオデータをアナログのオーディオ信号に変換して出力端子５８から出力する。
【００５０】
また、オーディオプロセスコントローラ４８は、再生切換コントローラ４５からの高音質のオーディオデータや、スタンプオーディオデータをＡＥＳデコーダ５９に供給する。ＡＥＳデコーダ５９は、前記再生切換コントローラ４５からのオーディオ出力データからＡＥＳをデコードしてＤ１エンコーダ５０に供給する。
【００５１】
また、システムコントローラ４７は、ユーザーインターフェース（User Ｉ／Ｆ）５５からのユーザコマンドに応じてメディアコントローラ４２を制御する他、スタンプビデオデコーダ４４や、変換比可変の周波数変換器５４に高速再生制御信号を、また再生切換コントローラ４５に切換制御信号を供給する。
【００５２】
次に、データ再生装置１の要部である、ＭＰＥＧ２デコーダ４３、スタンプビデオデコーダ４４、スタンプオーディオデコーダ４６、変換比可変のサンプリング周波数変換器５４、再生切換コントローラ４５の詳細について説明する。
【００５３】
ＭＰＥＧ２デコーダ４３は、可変長復号（ＶＬＤ）部と、逆量子化（ＩＱ）部と、加算器と、逆離散コサイン（ＩＤＣＴ）部と、フレームメモリ（ＦＭ）部と、動き補償（ＭＣ）部と、離散コサイン変換（ＤＣＴ）部とを備えてなり、メディアコントローラ４２から最大１５Ｍｂｐｓで供給されるＭＰＥＧ２フォーマットのＭＰＥＧ２ビデオデータをデコードする。具体的に、ＭＰＥＧ２デコーダ４３としては、ＭＰＥＧ２ＭＰ＠ＭＬ（Main Profile/Main Level）Decoderを用いる。もちろん、ＭＰＥＧ２ＭＰ＠ＨＬ（Main Profile/High Level）Decoderを用いてもよい。なお、このデータ再生装置１では、前記データ記録装置５にて、ＭＰＥＧ２エンコーダを用いていることに基づいてＭＰＥＧ２デコーダ４３を用いてるが、もし、データ記録装置５にて他の形態の高解像度ビデオエンコーダを用いているのであれば、それにしたがってデコーダを用いる。
【００５４】
スタンプビデオデコーダ４４は、メディアコントローラ４２から約７００Ｋｂｐｓで供給される４：２：０のスタンプビデオデータを、図８に示すような構成で、４：２：２のベースバンドコンポーネントビデオデータＹ、Ｃｂ、Ｃｒにデコードする。メモリコントローラ６１と、伸張部６２と、画素補間部６３と、４：２：０→４：２：２変換器６４と、補間ＬＰＦ６５とからなる。メモリコントローラ６１を介した、スタンプビデオデータは、伸張部６２に供給される。伸張部６２は、メモリコントローラ６１からのスタンプビデオデータを伸張する。画素補間部６３は、スタンプビデオエンコーダ１９の画素間引き部３２にてＨ方向、Ｖ方向に各１／６に間引きされたデータをＨ方向、Ｖ方向に各６倍する。４：２：０→４：２：２変換器６４は、Ｙ、Ｃｂ、Ｃｒの標本化周波数比４：２：０を４：２：２に変換する。補間ＬＰＦ６５は、４：２：０のＹ、Ｃｂ、Ｃｒを補間する。このため、スタンプビデオデコーダ４４は、４：２：２のベースバンドビデオデータを生成でき、再生切換コントローラ４５に出力できる。このスタンプビデオデコーダ４４には、システムコントローラ４７から高速再生制御信号が供給される。この高速再生制御信号は、ユーザの所望に応じてスタンプビデオデータを高速再生するときの制御信号である。この高速再生制御信号に基づいてスタンプビデオデコーダ４４は、メモリ５３を用いながら、表示装置２の画面表示の一部ずつを更新し、１画面を分割して数フレームの画像情報を同時に表示する。つまり、スタンプビデオデコーダは、１より多い所定フレーム数分のスタンプビデオデータの少なくとも一部ずつが同一フレーム内に表示されるよう出力する画像データの各フレームを構成し、出力画像データの各フレーム毎に、その一部ずつを光ディスクＯＤから読み出されたスタンプビデオデータで更新する。
【００５５】
具体的な例としては、高速再生モード時に、読み出された所定フレーム数分のスタンプビデオデータをメモリ５３に記憶し、出力画像データの各フレーム毎に、所定フレーム数分の低レートビデオデータの各低レートビデオデータの異なる部分をメモリ５３から読み出して合成することで、出力画像データの各フレーム毎にその一部ずつを更新する。
【００５６】
この高速再生時の動作については詳細を後述する。
【００５７】
次に、このデータ再生装置１が、高速再生時に表示装置２の１画面上に数フレームの画像情報を分割して同時表示するのに伴って、高音域ノイズ音又は高音域にシフトされた音をスピーカから出力する動作について説明する。これは、スタンプオーディオデコーダ４６と変換比可変のサンプリング周波数変換器５４とによるスタンプオーディオの高速再生動作である。
【００５８】
図９において、スタンプオーディオデコーダ４６は、Ｆｓ＝８ｋＨｚ、８bitのスタンプオーディオデータを対数伸張し、Ｆｓ＝８ｋＨｚ、１６bitにして、変換比可変のサンプリング周波数変換器５４に供給する。変換比可変のサンプリング周波数変換器５４は、スタンプオーディオデータのＦｓ＝８ｋＨｚをユーザの所望のＦｓに変換し、それを再生切換コントローラ４５に供給する。このスタンプオーディオデコーダ４６にも、システムコントローラ４７から高速再生制御信号が供給される。この高速再生制御信号も、ユーザの所望に応じてスタンプオーディオデータを高速再生するときの制御信号である。Ｆｓ＝８ｋＨｚ、１６bitのスタンプオーディオデータを例えば６倍速再生することを指示する高速再生制御信号が供給されると、変換比可変のサンプリング周波数変換器５４は、サンプリング周波数Ｆｓを４８ｋＨｚに変換する。これがアナログオーディオ信号に変換されると、ピッチが１／６の音声となる。このオーディオの高速再生についての詳細は後述する。
【００５９】
再生切換コントローラ４５は、前記高速再生制御信号に基づいて高速再生されたスタンプビデオデコーダ４４からのスタンプビデオ出力と、ＭＰＥＧ２デコーダ４３からのビデオデータ出力のいずれかを、システムコントローラ４７から供給される切換制御信号に応じて選択してビデオプロセスコントローラ４９に供給する。また、再生切換コントローラ４５は、前記高速再生制御信号に基づいて高速再生された変換比可変の標本化周波数変換器５４からのスタンプオーディオ出力と、メディアコントローラ４２から直接に供給された高音質のディジタルオーディオデータのいずれかを、システムコントローラ４７から供給される切換制御信号に応じて選択してオーディオプロセスコントローラ４８に供給する。
【００６０】
次に、高速再生時にデータ再生装置１が表示装置２の画面表示の一部ずつを更新し、各出力フレームの１画面上に数フレームの画像情報を同時に表示する動作の詳細について説明する。
【００６１】
このデータ再生装置１では、映像の高速再生をスタンプビデオデータを用いて行う。スタンプビデオデータは、ＭＰＥＧ２ビデオデータの最大約１５Ｍｂｐｓに比較して、約７００ｋｂｐｓという低レートのビデオデータであり、光ディスクＯＤ上の、ＭＰＥＧ２ビデオデータが記録される領域と、例えば別領域に記録されている。なお、高レートのＭＰＥＧ２ビデオデータと、低レートのスタンプビデオデータとが光ディスクＯＤの別領域に記録されるのは、一例であり、これに限定されるものではない。
【００６２】
このため、高速再生モードでは、低レートの画像を光ディスクＯＤから読み出すことが高レートの画像を読み出すのに比して容易であり、データの並び替えにより出力ビデオデータの各フレームに対応する１画面上に数フレームの画像情報の少なくとも一部ずつを同時に表示することが可能となる。
【００６３】
もちろん、ＭＰＥＧ２ビデオデータを用いての高速再生は可能である。しかし、ＭＰＥＧ２ビデオデータでは、前述の図４に示したようにＩピクチャ、Ｐピクチャ、Ｂピクチャを、ピクチャ枚数Ｎ＝１５、Ｉ又はＰが現れる周期Ｍ＝３のLong ＧＯＰとして割り当てており、このうち単独で復号が可能なのはＩピクチャだけである。Ｐピクチャの復号には時間軸上で前のＩピクチャ又はＰピクチャの情報が必要である。また、Ｂピクチャの復号には前後のＰピクチャ（一方がＩピクチャであるときの有る）の情報が必要である。このようにＭＰＥＧ２ビデオデータでは、時間軸上の相関を利用して圧縮しているので高速再生のようにフレームをとびとびで再生する場合、復号を保証できるのはＩピクチャのみとなる。Ｐピクチャ／Ｂピクチャは再生速度や再生パターンによっては復号できる場合もあるが保証はできない。
【００６４】
図１０には、本発明では目的としない、例えばＭＰＥＧ２ビデオデータ（ＭＰＥＧ２ＭＰ＠ＭＬ、ピクチャ枚数Ｎ＝１５，Ｉ又はＰが現れる周期Ｍ＝３）を用いて高速再生、例えば１５倍速再生を行うときのタイミングチャートを示す。これは、高速再生時に復号できるフレームに復号器（Decoder）の処理速度による制限が加わり、瞬間的に見ればコマ落としの間隔が一定ではなくなり同じコマ落としでもギクシャクしたものになってしまうという課題そのものの説明であり、ここでは、本発明との対比のために用いた。
【００６５】
１５倍速再生を行うことになるので、（ａ）のメディア出力はＧＯＰ（０）の後は、それぞれ間の各１４フレームを省略したＧＯＰ（１５）、ＧＯＰ（３０）、ＧＯＰ（４５）となる。（ｂ）のＭＰＥＧ２デコーダの出力は、ＧＯＰ（０）、ＧＯＰ（１５），ＧＯＰ（３０）、ＧＯＰ（４５）の例えば２つのＢフレームが前のＧＯＰとの相関がなくなるため正しくデコードできなくなる。よって、例えばＧＯＰ（０）において、実際に表示装置に表示される（ｃ）の再生出力中の２つのＢフレーム分の瞬間再生スピードは、（ｄ）に示すように０倍速（×０）のようにスチル状態となってフリーズ（Freese）する。そして、急激に瞬間再生スピードが上がり（２１３倍速）、さらにその後、ＧＯＰ（０）内では１倍速となる。以下、ＧＯＰ（１５）、ＧＯＰ（３０）、ＧＯＰ（４５）についても同様に２つのＢフレームはスチル状態となり、そして急激に瞬間再生スピードが上がり、さらにその後、各ＧＯＰ内にて１倍速になる。
【００６６】
このようなタイミングチャートにしたがったＭＰＥＧ２ビデオデータの１５倍速再生における再生時間の流れを図１１に示す。この図１１は、再生時間が経過して行くときに、フレームＮ、フレームＮ＋１、フレームＮ＋２・・・フレームＮ＋５という、表示装置上のフレーム表示を、ＧＯＰ番号と内部のピクチャの番号の変化で示している。フレームＮからフレームＮ＋２までは動きが止まり、フレームＮ＋２からフレームＮ＋３では再生速度が瞬間的に変化し、フレームＮ＋３からフレームＮ＋５では急に動き出したりというように、ギクシャクした再生となってしまう。
【００６７】
そこで、このデータ再生装置１では、同一の映像素材に対する高速再生を、前述したギクシャクした高速再生となってしまう再生ＭＰＥＧ２ビデオデータを用いるのではなく、スタンプビデオデータを用いて以下に説明するように行っている。
【００６８】
先ず、図１２、図１３を用い、データ再生装置１が５倍速再生を行う動作を説明する。図１２はデータ再生装置１にて５倍速再生を行うために最低限必要なメモリ空間を示している。前記スタンプビデオエンコーダ１９によって生成され、光ディスクＯＤに記録されている低レートのスタンプビデオデータをフレーム単位で、Ｐ１、Ｐ２、Ｐ３、Ｐ４、Ｐ５・・・・として示す。なお、ここでは、Ｐ１〜Ｐ３０までのスタンプビデオデータが５枚ずつメモリ５３の対応する空間に書き込まれる。図１３は時間の経過に対応した画面上の表示の遷移を示す。
【００６９】
ユーザによって５倍速再生がユーザインターフェース５５を介して選択されると、システムコントローラ４７はメディアコントローラ４２を制御し、再生ドライバ４１により光ディスクＯＤから５つのスタンプビデオデータＰ１、Ｐ２、Ｐ３、Ｐ４、Ｐ５を読み出すとともにメモリ５３の対応する５つのメモリ空間Ｆ０、Ｆ１、Ｆ２、Ｆ３、Ｆ４にフレーム単位で書き込む。
【００７０】
データ再生装置１は、メモリ５３の５つのメモリ空間Ｆ０、Ｆ１、Ｆ２、Ｆ３、Ｆ４にフレーム単位で書き込まれたスタンプビデオデータＰ１、Ｐ２、Ｐ３、Ｐ４、Ｐ５を、図１２に示すように、一部ずつ読み出してデコードし、図１３のフレームＮに示すように１画面上に５フレームの画像情報を分割して表示する。なお、ここでは、メモリ５３に書き込まれたスタンプビデオデータを読み出してからデコードしているが、デコードした後にメモリ５３に記憶させてもよい。図１３において、Ｐ１（FO-1）は、メモリ５３のＦ０にフレーム単位で書き込まれたＰ１の一部（メモリ空間上に仮想的に示した番号１の列とＦ０（行）によって特定できる領域）を意味する。また、Ｐ２（F1-2）はＰ２の一部（メモリ空間上に仮想的に示した番号２の列とＦ１（行）によって特定できる領域）を意味する。同様に、Ｐ３（F2-3）、Ｐ４（F3-4）、Ｐ５（F4-5）は、メモリ５３のＦ２、Ｆ３、Ｆ４にフレーム単位で書き込まれたＰ３，Ｐ４、Ｐ５の一部を意味する。
【００７１】
なお、図１３に示したフレームＮは、表示装置に表示するときの時間的な意味でのフレームを示している。以下、フレームＮ＋１、フレームＮ＋２、・・・も同様である。また、前記フレーム単位との記載は、スタンプビデオデータの基になっている１フレームということである。
【００７２】
図１３の各フレームＮ、Ｎ＋１、Ｎ＋２、・・・は、例えば各１／３０秒で表示される。その中で、フレームＮに続く、フレームＮ＋１は、図１２のメモリ空間のＦ０〜Ｆ４に、前記Ｐ１〜Ｐ５に続いてフレーム単位で書き込まれたＰ６〜Ｐ１０の各一部Ｐ６（FO-1）、Ｐ７（F1-2）、Ｐ８（F2-3）、Ｐ９（F3-4）、Ｐ１０（F4-5）をデコードして再生した表示例である。続いて、フレームＮ＋２は、図１２のメモリ空間のＦ０〜Ｆ４に、前記Ｐ６〜Ｐ１０に続いてフレーム単位で書き込まれたＰ１１〜Ｐ１５の各一部Ｐ１１（FO-1）、Ｐ１２（F1-2）、Ｐ１３（F2-3）、Ｐ１４（F3-4）、Ｐ１５（F4-5）をデコードして再生し画面に表示した例である。同様に、フレームＮ＋３は、Ｐ１６〜Ｐ２０の各一部Ｐ１６（FO-1）、Ｐ１７（F1-2）、Ｐ１８（F2-3）、Ｐ１９（F3-4）、Ｐ２０（F4-5）をデコードして再生し画面に表示した例である。続いて、フレームＮ＋４は、Ｐ２１〜Ｐ２５の各一部Ｐ２１（FO-1）、Ｐ２２（F1-2）、Ｐ２３（F2-3）、Ｐ２４（F3-4）、Ｐ２５（F4-5）をデコードして再生し画面に表示した例であり、フレームＮ＋５は、Ｐ２６〜Ｐ３０の各一部Ｐ２６（FO-1）、Ｐ２７（F1-2）、Ｐ２８（F2-3）、Ｐ２９（F3-4）、Ｐ３０（F4-5）をデコードして再生し画面に表示した例である。
【００７３】
このように、例えば、フレームＮ〜フレームＮ＋５にわたって、データ再生装置１は、表示装置２の画面表示の一部ずつを更新し、１画面上に５フレームの画像情報を分割して表示することができる。なお、ここでの数フレームという記載は、上記例では、Ｐ１〜Ｐ５、Ｐ６〜Ｐ１０、Ｐ１１〜Ｐ１５、Ｐ１６〜Ｐ２０、Ｐ２１〜Ｐ２５、Ｐ２６〜Ｐ３０の各５フレームの画像情報（スタンプビデオデータ）という意味である。
【００７４】
次に、データ再生装置１のメモリ５３が前記図１２に示したのとは異なるメモリ空間を持つときに、データ再生装置１が行う５倍速再生の第１の変形例について説明する。図１４には、Ｆ０〜Ｆ７までしか記載されていないが、ここではＦ０〜Ｆ９があるものとして説明する。Ｆ０〜Ｆ９の各部には、スタンプビデオデータＰ１〜Ｐ３０がフレーム単位で更新されながら書き込まれる。図１５は時間の経過に対応した画面上の表示の遷移を示す。
【００７５】
ユーザによって５倍速再生がユーザインターフェース５５を介して選択されると、システムコントローラ４７はメディアコントローラ４２を制御し、再生ドライバ４１により光ディスクＯＤから５つのスタンプビデオデータＰ１、Ｐ２、Ｐ３、Ｐ４、Ｐ５を読み出し、メモリ５３の対応する５つのメモリ空間Ｆ０、Ｆ１、Ｆ２、Ｆ３、Ｆ４にフレーム単位で書き込む。
【００７６】
データ再生装置１は、メモリ５３の５つのメモリ空間Ｆ０、Ｆ１、Ｆ２、Ｆ３、Ｆ４にフレーム単位で書き込まれたスタンプビデオデータＰ１、Ｐ２、Ｐ３、Ｐ４、Ｐ５の各一部Ｐ１（FO-1）、Ｐ２（F1-2）、Ｐ３（F2-3）、Ｐ４（F3-4）、Ｐ５（F4-5）（図１５に示す）をデコードして再生しフレームＮとして表示する。
【００７７】
このとき、既に図１４のメモリ空間Ｆ５〜Ｆ９には、スタンプビデオデータＰ６〜Ｐ１０がフレーム単位で書き込まれている。そして、データ再生装置１は、フレームＮに続く、フレームＮ＋１にて、図１４のメモリ空間のＦ５〜Ｆ９から、前記Ｐ１〜Ｐ５に続いてフレーム単位で書き込まれたＰ６〜Ｐ１０の各一部Ｐ６（F5-1）、Ｐ７（F6-2）、Ｐ８（F7-3）、Ｐ９（F8-4）、Ｐ１０（F9-5）をデコードして再生して表示する。
【００７８】
また、このとき、既に図１４のメモリ空間Ｆ０〜Ｆ４には、スタンプビデオデータＰ１１〜Ｐ１５がフレーム単位で書き込まれている。そして、データ再生装置１は、フレームＮ＋２にて、メモリ空間のＦ０〜Ｆ４から、フレーム単位で書き込まれたＰ１１〜Ｐ１５の各一部Ｐ１１（F0-1）、Ｐ１２（F1-2）、Ｐ１３（F2-3）、Ｐ１４（F3-4）、Ｐ１５（F4-5）をデコードして再生して表示する。
【００７９】
同様に、データ再生装置１は、フレームＮ＋３にて、メモリ空間のＦ５〜Ｆ９から、Ｐ１６（F5-1）、Ｐ１７（F6-2）、Ｐ１８（F7-3）、Ｐ１９（F8-4）、Ｐ２０（F9-5）をデコードして再生して表示する。また、フレームＮ＋４にて、メモリ空間のＦ０〜Ｆ４から、Ｐ２１（F0-1）、Ｐ２２（F1-2）、Ｐ２３（F2-3）、Ｐ２４（F3-4）、Ｐ２５（F4-5）を、さらに、フレームＮ＋５にて、メモリ空間のＦ５〜Ｆ９から、Ｐ２６（F5-1）、Ｐ２７（F6-2）、Ｐ２８（F7-3）、Ｐ２９（F8-4）、Ｐ３０（F9-5）をデコード後再生して表示する。
【００８０】
このように、この５倍速再生の第１の変形例についても、データ再生装置１は、表示装置２の画面表示の一部ずつを更新し、１画面上に５フレームの画像情報を分割して表示することができる。
【００８１】
ここでは、メモリ５３のメモリ空間がＦ０〜Ｆ９まである例を示したが、Ｆ０〜Ｆ１４までの１５に分かれていてもよい。さらに、５倍速再生では、メモリ空間が５以上であれば、必ずしも５の倍数である必要はない。
【００８２】
そこで、データ再生装置１のメモリ５３が図１６に示すようにＦ０〜Ｆ５までの６である場合に、データ再生装置１が行う５倍速再生の第２の変形例について説明する。スタンプビデオデータＰ１〜Ｐ３０は、５個ずつ、メモリ５３に書き込まれるが、フレーム空間が６つであるので、その書き込み位置はずれていく。例えば、Ｐ１〜Ｐ５はＦ０〜Ｆ４に書き込まれるが、次のＰ６、Ｐ７、Ｐ８、Ｐ９、Ｐ１０はＦ５、Ｆ０、Ｆ１、Ｆ２、Ｆ３に書き込まれる。さらに、次のＰ１１、Ｐ１２、Ｐ１３、Ｐ１４、Ｐ１５はＦ４、Ｆ５、Ｆ０、Ｆ１、Ｆ２に書き込まれ、Ｐ１６、Ｐ１７、Ｐ１８、Ｐ１９、Ｐ２０はＦ３、Ｆ４、Ｆ５、Ｆ０、Ｆ１に書き込まれる。図１７は時間の経過に対応した画面上の表示の遷移を示す。
【００８３】
ユーザによって５倍速再生がユーザインターフェース５５を介して選択されると、システムコントローラ４７はメディアコントローラ４２を制御し、再生ドライバ４１により光ディスクＯＤから５つのスタンプビデオデータＰ１、Ｐ２、Ｐ３、Ｐ４、Ｐ５を読み出すとともにメモリ５３の対応する５つのメモリ空間Ｆ０、Ｆ１、Ｆ２、Ｆ３、Ｆ４にフレーム単位で書き込む。
【００８４】
データ再生装置１は、メモリ５３の５つのメモリ空間Ｆ０、Ｆ１、Ｆ２、Ｆ３、Ｆ４にフレーム単位で書き込まれたスタンプビデオデータＰ１、Ｐ２、Ｐ３、Ｐ４、Ｐ５の各一部Ｐ１（FO-1）、Ｐ２（F1-2）、Ｐ３（F2-3）、Ｐ４（F3-4）、Ｐ５（F4-5）（図１７に示す）をデコードして再生しフレームＮとして表示する。
【００８５】
次に、図１６のメモリ空間のＦ５、Ｆ０、Ｆ１、Ｆ２、Ｆ３に、Ｐ６、Ｐ７、Ｐ８、Ｐ９、Ｐ１０が書き込まれると、データ再生装置１は、Ｐ６（F5-1）、Ｐ７（F0-2）、Ｐ８（F1-3）、Ｐ９（F2-4）、Ｐ１０（F3-5）をデコード後再生しフレームＮ＋１として表示する。
【００８６】
次に、図１６のメモリ空間のＦ４、Ｆ５、Ｆ０、Ｆ１、Ｆ２に、Ｐ１１、Ｐ１２、Ｐ１３、Ｐ１４、Ｐ１５が書き込まれると、データ再生装置１は、Ｐ１１（F4-1）、Ｐ１２（F5-2）、Ｐ１３（F0-3）、Ｐ１４（F1-4）、Ｐ１５（F2-5）をデコード後再生しフレームＮ＋２として表示する。
【００８７】
同様に、データ再生装置１は、メモリ空間の前記Ｆ３、Ｆ４、Ｆ５、Ｆ０、Ｆ１にＰ１６、Ｐ１７、Ｐ１８、Ｐ１９、Ｐ２０が書き込まれると、Ｐ１６（F3-1）、Ｐ１７（F4-2）、Ｐ１８（F5-3）、Ｐ１９（F0-4）、Ｐ２０（F1-5）をデコード後再生しフレームＮ＋３として表示する。
【００８８】
また、データ再生装置１は、メモリ空間の前記Ｆ２、Ｆ３、Ｆ４、Ｆ５、Ｆ０にＰ２１、Ｐ２２、Ｐ２３、Ｐ２４、Ｐ２５が書き込まれると、Ｐ２１（F2-1）、Ｐ２２（F3-2）、Ｐ２３（F4-3）、Ｐ２４（F5-4）、Ｐ２５（F0-5）をデコード後再生しフレームＮ＋４として表示する。
さらに、データ再生装置１は、メモリ空間の前記Ｆ１、Ｆ２、Ｆ３、Ｆ４、Ｆ５にＰ２６、Ｐ２７、Ｐ２８、Ｐ２９、Ｐ３０が書き込まれると、Ｐ２６（F1-1）、Ｐ２７（F2-2）、Ｐ２８（F3-3）、Ｐ２９（F4-4）、Ｐ３０（F5-5）をデコード後再生しフレームＮ＋５として表示する。
【００８９】
このように、この５倍速再生の第２の変形例についても、データ再生装置１は、表示装置２の画面表示の一部ずつを更新し、１画面上に５フレームの画像情報を分割して表示することができる。
【００９０】
なお、前記５倍速再生の各例では、光ディスクＯＤからメモリ５３に読み出すスタンプビデオデータを３０フレームまでで５フレームずつとしたが、実際のデータは３０フレームより多いのはもちろんであり、読み出すフレームの数も５フレーム以上であればメモリ空間にあわせ、増やすことができる。
【００９１】
これまでは、５倍速再生を説明したが、６倍速再生、７倍速再生についても、それぞれメモリ空間を６以上、７以上とすることにより可能であることはいうまでもない。また、２，３、４倍速再生については、それぞれメモリ空間が２，３，４以上であれば可能である。
【００９２】
次に、図１８、図１９を用い、データ再生装置１が１５倍速再生を行う動作を説明する。図１８は、メディア出力と、デコード出力＆再生出力の時間変化を示す。メモリ５３のメモリ空間は、図１７に示した行方向が例えば２２５（F0〜F224）に分かれている。
【００９３】
なお、図１８及び図１９では、例えば、光ディスクＯＤに記録されていたスタンプビデオデータをＧＯＰに相当するように示す。ＧＯＰを０〜１４の合計１５のフレーム単位のスタンプビデオデータから構成し、ＧＯＰ（ｉ）−０〜ＧＯＰ（ｉ）−１４とする。ここで、ｉは０，１，２，・・１４，・・・・・５９・・・である。
【００９４】
ユーザによって１５倍速再生がユーザインターフェース５５を介して選択されると、システムコントローラ４７はメディアコントローラ４２を制御し、再生ドライバ４１により光ディスクＯＤから例えば１５個の各ＧＯＰのスタンプビデオデータ（合計２２５）を読み出し、メモリ５３の対応するメモリ空間にフレーム単位で順次書き込む。
【００９５】
図１８には、デコードと再生の時間内で光ディスクＯＤからメモリ５３の各メモリ空間に出力される１５個単位のＧＯＰのメディア出力（ａ）と、そのメディア出力のデコード出力＆再生出力（ｂ）を示す。
【００９６】
例えば、メディア出力ＧＯＰ（０）〜ＧＯＰ（１４）の合計２２５スタンプビデオデータは、構成画素の属するフレーム（このフレームは図１９のフレームＮ、フレームＮ＋１、フレームＮ＋２、・・・フレームＮ＋１４に相当する。）毎にＧＯＰ（０）−０〜ＧＯＰ（０）−１４、ＧＯＰ（１）−０〜ＧＯＰ（１）−１４、ＧＯＰ（２）−０〜ＧＯＰ（２）−１４、ＧＯＰ（３）−０〜ＧＯＰ（３）−１４、ＧＯＰ（４）−０〜ＧＯＰ（４）−１４、ＧＯＰ（５）−０〜ＧＯＰ（５）−１４・・・・ＧＯＰ（１４）−０〜ＧＯＰ（１４）−１４としてデコードされて再生される。
【００９７】
また、メディア出力ＧＯＰ（１５）〜ＧＯＰ（２９）もフレームＮ、フレームＮ＋１、フレームＮ＋２、・・・フレームＮ＋１４毎に、ＧＯＰ（１５）−０〜ＧＯＰ（１５）−１４、ＧＯＰ（１６）−０〜ＧＯＰ（１６）−１４、ＧＯＰ（１７）−０〜ＧＯＰ（１７）−１４、ＧＯＰ（１８）−０〜ＧＯＰ（１８）−１４、ＧＯＰ（１９）−０〜ＧＯＰ（１９）−１４、ＧＯＰ（２０）−０〜ＧＯＰ（２０）−１４・・・・ＧＯＰ（２９）−０〜ＧＯＰ（２９）−１４としてデコードされて再生される。
【００９８】
さらに、ＧＯＰ（３０）〜ＧＯＰ（４４）、ＧＯＰ（４５）〜ＧＯＰ（５９）のスタンプビデオデータも、フレームＮ、フレームＮ＋１、フレームＮ＋２、・・・フレームＮ＋１４毎に同様にデコードされて再生される。
【００９９】
図１９にはフレームＮ、フレームＮ＋１、フレームＮ＋２、フレームＮ＋３、フレームＮ＋４、フレームＮ＋５の各デコード＆再生出力の具体例を示す。すなわち、フレームＮでは、ＧＯＰ（０）−０、・・・ＧＯＰ（０）−１４をデコードした後、再生して表示する。また、フレームＮ＋１では、ＧＯＰ（１）−０、・・・ＧＯＰ（１）−１４をデコードした後、再生して表示する。また、フレームＮ＋２では、ＧＯＰ（２）−０、・・・ＧＯＰ（２）−１４をデコードした後、再生して表示する。また、フレームＮ＋３では、ＧＯＰ（３）−０、・・・ＧＯＰ（３）−１４をデコードした後、再生して表示する。同様に、フレームＮ＋４では、ＧＯＰ（４）−０、・・・ＧＯＰ（４）−１４を、フレームＮ＋５では、ＧＯＰ（５）−０、・・・ＧＯＰ（５）−１４をデコードした後再生して表示する。
【０１００】
このように、この１５倍速再生の具体例についても、データ再生装置１は、表示装置２の画面表示の一部ずつを更新し、１画面上に１５フレームの画像情報を分割して表示することができる。
【０１０１】
一般化すると、ユーザがｎ倍速を指定したとき、このデータ再生装置１では、１画面上にｎフレームの画像情報を、分割線の方向が横になるように分割して表示することができる。このため、ユーザはサーチスピードの変化を視覚的に捉えることができる。
【０１０２】
また、データ再生装置１は、光ディスクＯＤに記録された例えばフレーム内圧縮によるスタンプビデオデータを用いる場合には、リバース方向の高速再生も簡単に実現できる。出力順の並べ替えが発生せず、システムディレイによる応答性の低下や、バッファメモリによるハードウェアコストの上昇も回避することができるためである。
【０１０３】
また、このデータ再生装置１は、前記スタンプビデオデータを用いることにより、画面を碁盤の眼状に細かく分割し、モザイクが順番に更新されていくような再生を行うことができる。この場合、データ再生装置１のシステムコントローラ４７は、ユーザーインターフェース５５を介したユーザからの並び替え指示に応じてスタンプビデオデコーダ４４にメモり空間上のどこから書き換えるかを示すアドレスを制御信号として供給する。
【０１０４】
以下に、データ再生装置１がメモリ５３に５フレーム分のスタンプビデオデータを書き込み、モザイクを順番に更新していくような再生を行うときの動作について説明する。メモリ５３のフレーム空間は図２０に示すように、Ｆ０〜Ｆ５の６分割とする。
【０１０５】
ユーザによってモザイク再生がユーザインターフェース５５を介して選択されると、システムコントローラ４７はメディアコントローラ４２を制御し、再生ドライバ４１により光ディスクＯＤから５つのスタンプビデオデータＰ１、Ｐ２、Ｐ３、Ｐ４、Ｐ５を読み出すとともにメモリ５３の対応する５つのメモリ空間Ｆ０、Ｆ１、Ｆ２、Ｆ３、Ｆ４に図２０の（ａ）に示すようにフレーム単位で書き込む。
【０１０６】
データ再生装置１は、メモリ５３の５つのメモリ空間Ｆ０、Ｆ１、Ｆ２、Ｆ３、Ｆ４に図２０の（ａ）に示すようにフレーム単位で書き込まれたスタンプビデオデータＰ１、Ｐ２、Ｐ３、Ｐ４、Ｐ５から、図２１に示すようなパターンＡ，Ｂ，Ｃ，Ｄ，Ｅでデータを読み出してデコードした後、再生して、図２２のフレームＮとして表示する。この図２２における数字の内、例えば”１”は、スタンプビデオデータＰ１からパターンＡで読み出してデコードし、再生した部分を示している。同様に、”２”はＰ２からパターンＢで読み出してデコードし、再生した部分である。”３”、”４”、”５”も同様に、それぞれＰ３からパターンＣで、Ｐ４からパターンＤで、Ｐ５からパターンＥで読み出してデコード＆再生した部分を示している。なお、図２１の各パターンは、全体の内の各一部を示した図である。また、図２２の各フレーム毎の再生結果も、一部を一点破線にしたように、全体の内の各一部を示した図である。
【０１０７】
次に、光ディスクＯＤから読み出された５つのスタンプビデオデータＰ６、Ｐ７、Ｐ８、Ｐ９、Ｐ１０は、メモリ５３の対応する５つのメモリ空間Ｆ５、Ｆ０、Ｆ１、Ｆ２、Ｆ３に図２０の（ｂ）に示すようにフレーム単位で書き込まれ、データ再生装置１は、それらのスタンプビデオデータを、パターンＡ，Ｂ，Ｃ，Ｄ，Ｅで読み出してデコードし、再生して、図２２のフレームＮ＋１として表示する。この図２２のフレームＮ＋１で、”６”は、スタンプビデオデータＰ６からパターンＡで読み出してデコードし、再生した部分を示している。同様に、”７”はＰ７からパターンＢで読み出してデコードし、再生した部分である。”８”、”９、”１０”も同様に、それぞれＰ８からパターンＣで、Ｐ９からパターンＤで、Ｐ１０からパターンＥで読み出してデコード＆再生した部分を示している。
【０１０８】
次に、光ディスクＯＤから読み出された５つのスタンプビデオデータＰ１１、Ｐ１２、Ｐ１３、Ｐ１４、Ｐ１５は、メモリ５３の対応する５つのメモリ空間Ｆ４、Ｆ５、Ｆ０、Ｆ１、Ｆ２に図２０の（ｃ）に示すようにフレーム単位で書き込まれ、データ再生装置１は、それらのスタンプビデオデータを、パターンＡ，Ｂ，Ｃ，Ｄ，Ｅで読み出してデコードし、再生して、図２２のフレームＮ＋２として表示する。この図２２のフレームＮ＋２で、”１１”は、スタンプビデオデータＰ１１からパターンＡで読み出してデコードし、再生した部分を示している。同様に、”１２”はＰ１２からパターンＢで読み出してデコードし、再生した部分である。”１３”、”１４、”１５”も同様に、それぞれＰ１３からパターンＣで、Ｐ１４からパターンＤで、Ｐ１５からパターンＥで読み出してデコード＆再生した部分を示している。
【０１０９】
そして、光ディスクＯＤから読み出された５つのスタンプビデオデータを、メモリ５３の対応する５つのメモリ空間に書き込みながら、それらのスタンプビデオデータを、パターンＡ，Ｂ，Ｃ，Ｄ，Ｅにより読み出し、デコードして再生し、図２２のフレームＮ＋３、Ｎ＋４、Ｎ＋５のようにモザイク表示していく。
【０１１０】
さらに、データ再生装置１がメモリ５３に１５フレーム分のスタンプビデオデータを書き込み、モザイクを順番に更新していくような再生を行うときの表示の遷移を図２３に示す。
【０１１１】
データ再生装置１は、行方向に例えば２２５に分割されたメモリ空間に書き込まれた各フレーム単位のスタンプビデオデータを、１５のパターンで読み出してデコードし、再生することによって、図２３に示すように、フレームＮ、フレームＮ＋１・・・フレームＮ＋５というように、モザイクが順番に更新されていくように表示することができる。
【０１１２】
次に、データ再生装置１における音声情報の高速再生動作について説明する。図７のデータ再生装置１において、ユーザがユーザーインターフェース５５を介して、例えば６倍速でのビデオ再生を指示すると、スタンプビデオデータに伴った、スタンプオーディオデータを用いた６倍速再生がデータ再生装置１にて行われる。先ず、システムコントローラ４７は、６倍速再生制御信号を生成して変換比可変のサンプリング周波数変換器５４に供給する。また、システムコントローラ４７は、スタンプオーディオ切換制御信号を生成して再生切換コントローラ４５に供給する。もちろん、スタンプビデオデータの高速再生とは別に、スタンプオーディオデータだけを対象とした高速再生が指示されたときにも動作可能である。
【０１１３】
スタンプオーディオデコーダ４６は、Ｆｓ＝８ｋＨｚ、８bitのスタンプオーディオデータを対数伸張し、Ｆｓ＝８ｋＨｚ、１６bitにして、変換比可変のサンプリング周波数変換器５４に供給している。
【０１１４】
変換比可変のサンプリング周波数変換器５４は、サンプリング周波数Ｆｓ＝８ｋＨｚを４８ｋＨｚに変換する。これはアナログオーディオ信号に変換されると、ピッチが１／６の音声となる。
【０１１５】
図２４に示すように、６倍速再生であるので、単位時間（１／Ｆｓ：Ｆｓ＝８ｋＨｚ）に再生されるデータは６倍になる。各サンプルの時間間隔は１／６、すなわち６倍のＦｓでサンプリングされた場合と等価となる。よって、変換比可変のサンプリング周波数変換器５４は、サンプリング周波数Ｆｓ＝８ｋＨｚを４８ｋＨｚに変換することで、ピッチが１／６の音声、すなわち６倍速の高域にシフトした音声を再生することができる。一般的には、Ｎ（Ｎ≦６）倍速での再生ではＦｓ＝８＊ＮｋＨｚをＦｓ＝４８ｋＨｚに変換することでＮ倍速再生の高域にシフトされた音を再生することが可能となる。
【０１１６】
例えば、Ｎ＝３倍速での再生では、図２５に示すように、ピッチが１／３の高域にシフトした音を再生することができる。全データが存在するので不連続は生じない。
【０１１７】
このようにデータ再生装置１では、低サンプリングレートの音声信号を高速再生に用いる。全データを再生することができるので、そのデータを再生スピードに応じてサンプリング変換してやることでアナログＶＴＲの長手トラックと同様に、高域にシフトした音を出力することができ、アナログＶＴＲと同等のサーチ音声による検索が可能となる。
【０１１８】
もちろん、Ｎ＞６の高速サーチにおいて、この方法を用いようとすればサンプリングレートがあまりにも低くなってしまい、再生できる帯域が狭くなってしまうので充分な品質のサーチを提供することは困難であるが、高域にシフトした音の内容を判別できるのはせいぜい数倍速までなので、それ以上の高速再生については音声の有無を認識できることを主目的とし、従来の方法と類似した方法に切り替えることなる。しかし、それでも実用領域における音声によるサーチ性能を充分に向上させることが可能となる。
【０１１９】
次に、本発明の第２の実施の形態について説明する。この第２の実施の形態は、図２６に示すように、データ記録装置５と、データ再生装置１を備えたデータ記録再生装置６である。データ再生装置１には、表示装置２や、スピーカ３が接続されている。
【０１２０】
このデータ記録再生装置６の構成を図２７に示す。既に図２に示したデータ記録装置５と図７に示したデータ再生装置１とを合体させた構成である。メディアコントローラ７１、記録再生ドライバ７２、オーディオプロセスコントローラ７３、システムコントローラ７３、ユーザインターフェース７５は記録／再生の両方の処理を行う構成とされている。また、他の各部については既に説明した通りであるので説明を省略する。
【０１２１】
このデータ記録再生装置６においても、ユーザにより指定された、５倍速再生や、１５倍速再生というモードに応じて１画面上に、５フレーム、１５フレームの画像情報を分割線の方向が横となるように分割して表示することができる。このため、ユーザは再生スピードの変化も視覚的に捉えることができる。その結果、トータルとして画像における高速サーチ検索性能をアップさせることができる。
【０１２２】
また、このデータ記録再生装置６によれば、光ディスクＯＤ上にあって、ＭＰＥＧ２ビデオデータとは例えば別領域にスタンプビデオデータを記録し、このスタンプビデオデータを用い、さらにそのスタンプビデオデータが約７００ｋｂｐｓというように低レートでもあるので、リバース方向の高速再生も簡単に実現できる。出力順の並べ替えが発生せず、システムディレイによる応答性の低下や、バッファメモリによるハードウェアコストの上昇も回避することができるためである。
【０１２３】
また、このデータ記録再生装置６は、前記スタンプビデオデータを用いることにより、画面を碁盤の眼状に細かく分割し、モザイクが順番に更新されていくような再生を行うことができる。
【０１２４】
また、このデータ記録再生装置６によれば、Ｎ（Ｎ≦６）倍速での再生ではＦｓ＝８＊ＮｋＨｚをＦｓ＝４８ｋＨｚに変換することでＮ倍速再生の高域にシフトされた音を再生することが可能となる。
【０１２５】
また、前記各実施の形態では、ノンリニアアクセス可能な記録媒体の具体例として光ディスクを用いたが、光磁気ディスクや、磁気ディスクや半導体メモリを用いることが可能であることはいうまでもない。
【０１２６】
なお、前記データ再生装置１等では、デコードを要するスタンプビデオデータを用いている例を挙げたが、単に低レートのビデオデータが間引きや、補間のみにより生成されているのであれば、デコードの必要はないことはいうまでもない。
【０１２７】
また、上述の例では、高レートビデオデータをフレーム間圧縮を用いたＭＰＥＧ２とし、低レートビデオデータとしてフレーム内圧縮を用いたスタンプビデオデータを例として挙げたが、高レートと低レートのビデオデータであればどんな方式のビデオデータでもよい。すなわち、低レートのビデオデータの方が、記録媒体からの読み出し及び必要であればデコードなどの処置を含む再生にかかる時間が、高レートのビデオデータより短ければよい。さらに、オーディオデータについても同様である。
【０１２８】
【発明の効果】
本発明のデータ処理装置は、同一素材に関する高レート及び低レートのデータを記録している光ディスク等のノンリニアアクセス可能な記録媒体から各データを再生する際に、高速再生モードのときには、再生レート内で再生可能な低レートのデータを用いて画面表示の一部ずつを更新するので、映像を高速再生するときに滑らかな再生映像を得ることができ、再生映像の品質を低下させることがない。
【０１２９】
本発明のデータ処理装置は、同一素材に関する高レート及び低レートのデータを光ディスク等のノンリニアアクセス可能な記録媒体に記録するデータ記録手段と、高速再生モードのときには、前記データ記録手段により前記ディスク状記録媒体に記録された低レートのデータを読み出して再生レート内で再生可能な低レートのデータを用いて画面表示の一部ずつを更新するデータ再生装置とを備えるので、映像を高速再生するときに滑らかな再生映像を得ることができ、再生映像の品質を低下させることがない。
【図面の簡単な説明】
【図１】本発明の第１の実施の形態となるデータ再生装置の適用例を示すブロック図である。
【図２】光ディスクにデータを記録するデータ記録装置の構成を示すブロック図である。
【図３】前記データ記録装置によってデータが記録された光ディスクの各記録エリアを示す図である。
【図４】ＭＰＥＧ２データのＧＯＰ構造を示す図である。
【図５】前記データ記録装置の要部となるスタンプビデオエンコーダの詳細な構成を示すブロック図である。
【図６】スタンプオーディオデータの生成を説明するための図である。
【図７】データ再生装置の構成を示すブロック図である。
【図８】前記データ再生装置の要部となるスタンプビデオデコーダの詳細な構成を示すブロック図である。
【図９】スタンプオーディオの高速再生を説明するための図である。
【図１０】ＭＰＥＧ２ビデオデータ（ＭＰＥＧ２ＭＰ＠ＭＬ、Ｎ＝１５，Ｍ＝３）を用いて例えば１５倍速再生を行うときのタイミングチャートである。
【図１１】図１０のタイミングチャートにしたがったＭＰＥＧ２ビデオデータの１５倍速再生を模式的に示した図である。
【図１２】高速再生時におけるメモリ空間からのスタンプビデオデータの読み出しを説明するための図である。
【図１３】時間の経過に対応した画面上の表示の遷移を示す図である。
【図１４】高速再生時におけるメモリ空間からのスタンプビデオデータの読み出しを説明するための図である。
【図１５】時間の経過に対応した画面上の表示の遷移を示す図である。
【図１６】高速再生時におけるメモリ空間からのスタンプビデオデータの読み出しを説明するための図である。
【図１７】時間の経過に対応した画面上の表示の遷移を示す図である。
【図１８】データ再生装置のスタンプビデオデコーダにて行われる１５倍の高速再生を説明するためのタイミングチャートである。
【図１９】１５倍速再生を模式的に示した図である。
【図２０】モザイク再生時におけるメモリ空間からのスタンプビデオデータの読み出しを説明するための図である。
【図２１】モザイク再生時におけるスタンプビデオデータからのデータ読み出しパターンを示す図である。
【図２２】モザイク再生時における画面上の表示の遷移を示す図である。
【図２３】モザイク再生時における画面上の表示の遷移を示す図である。
【図２４】データ再生装置によるスタンプオーディオデータを用いた６倍速再生を説明するためのタイミングチャートである。
【図２５】データ再生装置によるスタンプオーディオデータを用いた３倍速再生を説明するためのタイミングチャートである。
【図２６】本発明の第２の実施の形態となるデータ記録再生装置の適用例を示すブロック図である。
【図２７】データ記録再生装置の構成を示すブロック図である。
【符号の説明】
１  データ再生装置、２  表示装置、４  撮像装置、５  データ記録装置、１８  ＭＰＥＧ２エンコーダ、１９  スタンプビデオエンコーダ、２０  メディアコントローラ、２５  変換比固定の標本化周波数変換器、２６  スタンプオーディオエンコーダ、２７  記録ドライバ、４１  再生ドライバ、４２  メディアコントローラ、４３  ＭＰＥＧ２デコーダ、４４  スタンプビデオデコーダ、４５再生切換コントローラ、４６  スタンプオーディオデコーダ、５３  メモリ、５４  変換比可変の標本化周波数変換器
【図１】
0004251859.tif 000002
【図２】
0004251859.tif 000003
【図３】
0004251859.tif 000004
【図４】
0004251859.tif 000005
【図５】
0004251859.tif 000006
【図６】
0004251859.tif 000007
【図７】
0004251859.tif 000008
【図８】
0004251859.tif 000009
【図９】
0004251859.tif 000010
【図１０】
0004251859.tif 000011
【図１１】
0004251859.tif 000012
【図１２】
0004251859.tif 000013
【図１３】
0004251859.tif 000014
【図１４】
0004251859.tif 000015
【図１５】
0004251859.tif 000016
【図１６】
0004251859.tif 000017
【図１７】
0004251859.tif 000018
【図１８】
0004251859.tif 000019
【図１９】
0004251859.tif 000020
【図２０】
0004251859.tif 000021
【図２１】
0004251859.tif 000022
【図２２】
0004251859.tif 000023
【図２３】
0004251859.tif 000024
【図２４】
0004251859.tif 000025
【図２５】
0004251859.tif 000026
【図２６】
0004251859.tif 000027
【図２７】
0004251859.tif 000028